(57)【要約】【課題】  映像表示装置の特にテレビジョン受像機におけるリモコンの操作性の改良方式を提供する。【解決手段】  映像が表示される画面を有する映像表示手段と、前記映像表示手段を外部操作するためのキーを備えたリモコンと、前記画面上に前記キーの名を表示するキー名表示手段と、前記画面上に前記キーの選択状態を表示するキー選択表示手段とを備えることを特徴とする映像表示装置。  前記キー選択表示手段により表示される前記キーの選択は、外部からのキーへの接触によって行われることを特徴とする映像表示装置。【選択図】      図４
2007312117.tif 000002
【特許請求の範囲】
【請求項１】
映像が表示される画面を有する映像表示手段と、
前記映像表示手段を外部操作するためのキーを備えたリモコンと、
前記画面上に前記キーの名を表示するキー名表示手段と、
前記画面上に前記キーの選択状態を表示するキー選択表示手段とを
備えることを特徴とする映像表示装置。
【請求項２】
前記キー選択表示手段により表示される前記キーの選択は、外部からのキーへの接触によって行われることを特徴とする請求項１に記載の映像表示装置。
【請求項３】
前記キー選択表示手段により表示される前記キーの選択は、外部からのキーの押下げによって行われることを特徴とする請求項１に記載の映像表示装置。
【請求項４】
前記キーの選択状態時にキー名が画面に表示されることを特徴とする請求項１に記載の映像表示装置。
【請求項５】
前記リモコンのキー配置が画面に表示されることを特徴とする請求項４に記載の映像表示装置。
【請求項６】
前記キーの選択状態時に該当キーの選択状態が画面に表示されることを特徴とする請求項５に記載の映像表示装置。
【請求項７】
映像表示装置本体の電源ＯＦＦ時に任意の前記キーが接触または押下げを受けると映像表示装置本体の電源がＯＮすることを特徴とする請求項１に記載の映像表示装置。
【発明の詳細な説明】
【技術分野】
【０００１】
この発明は、映像表示装置に関わり特にテレビジョン受像機における映像表示に関する。
【背景技術】
【０００２】
周知のように近年では、テレビジョン受像機の機能の多様化が行われている。ところで、この種のテレビジョン受像機では、リモコン装置等の操作部にも機能の多様化を反映してより多くのキーが載せられ相対的に各キーはより小さくなる傾向にある。
【０００３】
特許文献１には、操作部の一つとして薄型の映像表示装置の特に側面、上下面に設けられた操作入力手段が記されている。キーの小型化に合わせキーの名称表示も小さく名称を判読するのが難しく、ひいては操作すべきキーを選定するのも困難であるという問題に対し、ユーザの体の一部が接近したキーに関する案内表示を行うというものである。しかしながら、操作部としてよく用いられるリモコン装置に関しての同様な問題への対処方法ついては開示されていないという問題があった。
【特許文献１】特開２００１−２３８１４６号公報
【発明の開示】
【発明が解決しようとする課題】
【０００４】
本発明は、映像表示装置の特にテレビジョン受像機におけるリモコンの操作性の改良方式を提供することを目的とする。
【課題を解決するための手段】
【０００５】
上記の目的を達成するために、この発明においては、映像が表示される画面を有する映像表示手段と、前記映像表示手段を外部操作するためのキーを備えたリモコンと、前記画面上に前記キーの名を表示するキー名表示手段と、前記画面上に前記キーの選択状態を表示するキー選択表示手段とを備えることを特徴とする映像表示装置を提供する。
【発明の効果】
【０００６】
この発明によれば、映像表示装置の特にテレビジョン受像機におけるリモコンの操作性の改良方式が得られる。
【発明を実施するための最良の形態】
【０００７】
以下、図面を参照しながら本発明の実施形態について説明する。
【実施例１】
【０００８】
本発明の実施例１を図１乃至図５を参照して説明する。
図１は本発明の映像表示装置の一実施例であるテレビジョン受像機を示すブロック図である。テレビジョン受像機は、図１に示すように、アンテナ１０で受信した複数の放送波の中から所定の放送波を選択的に受信するための主チューナ１１を備える。主チューナ１１で選択された放送波に対応するベースバンド映像信号はＹ／Ｃ分離回路１３および同期分離回路１４に与えられる。
【０００９】
Ｙ／Ｃ分離回路１３は、ベースバンド映像信号を輝度信号Ｙと色信号Ｃとに分離する。輝度信号Ｙは後述する混合器３２aおよび親画面用マトリクス回路１５に与えられ、色信号Ｃは色復調回路１６に与えられる。色復調回路１６は色信号ＣからＲ−Ｙ，Ｂ−Ｙの各色差信号を生成し、Ｒ−Ｙ，Ｂ−Ｙの各色差信号は親画面用マトリクス回路１５に与えられる。マトリクス回路１５は、輝度信号Ｙ、Ｒ−Ｙ，Ｂ−Ｙの各色差信号に基づきＲ，Ｇ，Ｂの各色信号を生成する。Ｒ，Ｇ，Ｂの各色信号は、対応するスイッチ１７，１８，１９の入力端の一方にそれぞれ与えられる。
【００１０】
同期分離回路１４は、主チューナ１１からベースバンド映像信号から水平同期信号および垂直同期信号を抽出することによってＣＲＴ２０の走査に要する水平・垂直走査周期の鋸歯状波を生成するとともに、水平・垂直周期の基準信号を生成する。水平・垂直走査周期の鋸歯状波はＣＲＴ２０の偏向コイル（図示せず）に出力される。水平・垂直同期の基準信号は二画面制御部２１に与えられ、二画面制御部２１は、入力手段２２からの指示信号に基づきスイッチ１７，１８，１９の切換動作を制御するための制御信号を生成する。例えば、入力手段２２からの指示信号が子画面表示を示すとき、親画面の水平・垂直走査周期の基準信号を基準として親画面・子画面の切換を行うための制御信号が生成される。二画面制御部２１からの制御信号は各スイッチ１７，１８，１９に与えられる。
【００１１】
また二画面制御部２１は、入力手段２２からの指示信号に基づき各メモリ２７，３０に子画面表示内容を指定する。
同期分離回路１４の水平・垂直走査周期の基準信号はメモリ制御部３１にも与えられる。メモリ制御部３１は、同期分離回路１４からの水平・垂直走査周期の基準信号に基づき各メモリ２７，３０の読出し動作のためのクロックなどの制御信号を生成する。各制御信号は対応するメモリ２７，３０に出力される。
【００１２】
メモリ２７から読み出された輝度信号Ｙは、Ｙ／Ｃ分離１３からの輝度信号ＹとともにＤ／Ａ３２でアナログに変換された後に混合器３２aに与えられる。混合器３２aは、Ｙ／Ｃ分離回路１３からの輝度信号ＹとＤ／Ａ３２からの輝度信号Ｙとを平均加算し、この加算によってＹ／Ｃ分離回路１３からの輝度信号ＹとＤ／Ａ３２からの輝度信号Ｙとの混合信号を生成する。このＣＰＵ号信号は輝度信号Ｙとして子画面用マトリクス回路３３に与えられる。
【００１３】
メモリ３０から読み出された色信号ＣはＤ／Ａ３４でアナログに変換された後に色復調回路３５に与えられる。色復調回路３５は色信号ＣからＲ−Ｙ，Ｂ−Ｙの各色差信号を生成し、Ｒ−Ｙ，Ｂ−Ｙの各色差信号は子画面用マトリクス回路３３に与えられる。
【００１４】
マトリクス回路３３は、輝度信号Ｙ、ＲＹ，Ｂ−Ｙの各色差信号に基づきＲ，Ｇ，Ｂの各色信号を生成する。Ｒ，Ｇ，Ｂの各色信号は、対応するスイッチ１７，１８，１９の入力端の他方にそれぞれ与えられる。
【００１５】
各スイッチ１７，１８，１９の出力端からのＲ，Ｇ，Ｂの各色信号はＣＲＴ２０に供給される。マトリクス回路３３に与えられた輝度信号Ｙには親画面映像の輝度信号Ｙが混入されているから、子画面表示時に子画面領域には親画面映像が薄く映し出される。混入比率は表示メニューでユーザが設定できるようにしてもよい。通常は親画面映像は映らないようにしてもよい。
【００１６】
図２は、図１のテレビジョン受像機の子画面表示状態を示す正面図である。テレビジョン受像機６１は映像表示装置本体である。テレビジョン受像機６１の前面には映像表示手段である画面全体領域６２があり、画面全体領域６２の中には画面小領域（子画面）６３がある。テレビジョン受像機６１前面には電源スイッチ６１ａと入力手段２２の一部を成す受光部６１ｂが構成されている。
【００１７】
図３は、図１のテレビジョン受像機のリモコン６４を示す図である。簡単に一般のテレビジョン受像機に共通なキー（ボタン）のみが載せられた構成を例示してある。子画面６３はリモコン６４のキーの名と選択状態を表示するためのものである。通常はリモコンのキーは映像表示装置を操作する、即ちキーに対応した機能処理を行うものであるが、以下説明するように操作に先立ちキーの選択状態を表示する。
【００１８】
リモコン６４のキーがユーザによって押されるとリモコン６４内部の例えば図示せぬカーボン接点のスイッチが押され電池給電による増幅、コード化、赤外発光ダイオードによるコードの赤外線送信がテレビジョン受像機６１の受光部６１ｂへ向けておこなわれる。対応して入力手段２２は、受光部６１ｂ内の図示せぬフォトダイオードで受信した赤外線を電気信号へ変え増幅して搬送波を除きコードを得て二画面制御部２１へ送る。
【００１９】
このコードは、リモコン６４のキーに対応したコードである。例えば３Byteのコードとなっており、１Byte目はメーカ、２Byte目は商品、３Byte目はキーに対応するデータとする。「８」と表示されたキーは８ｃｈ（チャンネル）を選局するためのキーであり、キーの押下げデータは例えば１６進表示で０８Ｈである。
【００２０】
他方、リモコン６４のキーがユーザによる接触を受けたときにも、コードを発生するような構成とする。「８」と表示されたキーの接触データは例えば１６進表示で１８Ｈである。この構成としては例えば静電容量変化式のタッチセンサースイッチで、接触部は金属や透明電極で実現できる。
【００２１】
受光部６１ｂは赤外光の来る方向を判定できるようにしてもよい。方向に対応して子画面６３の親画面６２内の表示位置を変えるようにしてもよい。また既定の表示位置に文字多重放送等のデータが存在する場合に表示位置をずらすようにしてもよい。
【００２２】
映像表示装置本体の電源をＯＮにするには、通常電源スイッチ６１ａまたはリモコン６４の電源キーを操作することが必要であるが、電源ＯＦＦ時に任意のリモコン６４のキーがユーザによって外部から接触または押下げを受けると映像表示装置本体の電源がＯＮするようにしてもよい。電源ＯＦＦ時は図１の多くの部分が給電されていないが、入力手段２２が給電されていて入力手段２２から図示せぬ電源回路にリモコン６４の電源キーを操作するのと同一の信号が任意のリモコン６４のキーの選択によって通知されるようにすればよい。
【００２３】
図４は、図１のテレビジョン受像機の子画面の表示内容を示す図である。１２個のチャネルの配置はリモコン６４の３列４行のキー配置が画面に表示された形態となっている。８ｃｈが選択されたことをリモコン６４の該当キーに対応する８ｃｈのキーの色相及び彩度及び明るさが従前および他のキーと変わったことによって示している。色相または彩度または明るさの他にキー名の色、サイズ、文字の太さ等によって示してもよい。またキーの地と文字との表現を入替える所謂反転表示を行ってもよい。
【００２４】
１２個のチャネルの配置は表示せず、選択されたモコン６４の該当キーに対応する８ｃｈのキーの表示のみを行うようにしてもよい。また、１２個のチャネルの配置の表示も８ｃｈのキーの表示も共に行うが、後者の部分の子画面の混合比をより多くするようにしてもよい。
【００２５】
図５はこの子画面の表示に関する動作フローチャートである。本体の電源ON状態で入力手段２２はリモコンよりの上記接触データを待機している。ステップＳ１では、入力手段２２は二画面制御部２１へ８ｃｈの接触が有ったことを通知し、二画面制御部２１はメモリ２７とメモリ３０へ選択されたことに対応するデジタルデータを既定の子画面に表示するキー全体の表示データと組み合わせて書き込む。ステップＳ２では、その結果として図４のような表示処理が行われる。次にステップＳ３では、８ｃｈの押下げが有ったことを入力手段２２は判定し有った場合はステップＳ４へ進み、そうでない場合はステップＳ５へ進む。ステップＳ４では、図４のような表示処理のための上記デジタルデータを二画面制御部２１は消しキー８ｃｈの機能に対応する８ｃｈの選局をチューナ１１に行わせる。ステップＳ５では、入力手段２２は二画面制御部２１へ８ｃｈ以外のキーの接触が有ったことを判定し有った場合はステップＳ２へ進みその８ｃｈ以外のキーの表示処理を行い、そうでない場合はステップＳ６へ進む。ステップＳ６では、前回のステップＳ２の処理からの経過時間を図示せぬタイマーから取得し、数秒程度の規定値に達した場合には次のステップＳ７に進み、達してない場合にはステップＳ３に戻って押下げの判定から繰り返す。ステップＳ７では、図４のような表示処理のための上記デジタルデータを二画面制御部２１は消す。
【実施例２】
【００２６】
本発明の実施例２を図１乃至図４及び図６を参照して説明する。実施例１と共通の部分は説明を省略する。図４において実施例１ではキーの選択は接触によって行われたが、本例ではキーの選択は押下げによって行われる。
【００２７】
図６は子画面の表示に関する動作フローチャートである。本体の電源ON状態で入力手段２２はリモコンよりの押下げデータを待機している。ステップＳ１１では、入力手段２２は二画面制御部２１へ８ｃｈの押下げが有ったことを通知し、二画面制御部２１はメモリ２７とメモリ３０へ選択されたことに対応するデジタルデータを既定の子画面に表示するキー全体の表示データと組み合わせて書き込む。ステップＳ１２では、その結果として図４のような表示処理が行われる。次にステップＳ１３では、８ｃｈの押下げが再度有ったことを入力手段２２は判定し有った場合はステップＳ１４へ進み、そうでない場合はステップＳ１５へ進む。ステップＳ１４では、図４のような表示処理のための上記デジタルデータを二画面制御部２１は消しキー８ｃｈの機能に対応する８ｃｈの選局をチューナ１１に行わせる。ステップＳ１５では、入力手段２２は二画面制御部２１へ８ｃｈ以外のキーの押下げが有ったことを判定し有った場合はステップＳ１２へ進みその８ｃｈ以外のキーの表示処理を行い、そうでない場合はステップＳ１６へ進む。ステップＳ１６では、前回のステップＳ１２の処理からの経過時間を図示せぬタイマーから取得し、数秒程度の規定値に達した場合には次のステップＳ１７に進み、達してない場合にはステップＳ１３に戻って再度押下げの判定から繰り返す。ステップＳ１７では、図４のような表示処理のための上記デジタルデータを二画面制御部２１は消す。
【００２８】
実施例２では、実施例１と比べてキーの接触データの送受の機能は必要ではない。従来のリモコンでも実施可能である。
なお、本発明は上記実施形態そのままに限定されるものではなく、実施段階ではその要旨を逸脱しない範囲で構成要素を変形して具体化できる。例えば、実施形態に示されるＰｉｎＰ（ピクチャーインピクチャー）機能の替わりにＯＳＤ（On Screen Display）を用いてもよい。ユーザの加齢や嗜好、画面からの距離等の条件により表示されるキー名の色，サイズ，文字の太さなどを表示メニューでユーザが変えられるようにしてもよい。
【００２９】
また、上記実施形態に開示されている複数の構成要素の適宜な組み合わせにより、種々の発明を形成できる。実施例１の方法と実施例２の方法とをテレビメニュー画面を用いてユーザに選ばせるようにしてもよい。
【図面の簡単な説明】
【００３０】
【図１】本発明の映像表示装置の一実施例であるテレビジョン受像機を示すブロック図。
【図２】図１のテレビジョン受像機の子画面表示状態を示す図。
【図３】図１のテレビジョン受像機のリモコンを示す図。
【図４】図１のテレビジョン受像機の子画面の表示内容を示す図。
【図５】図１のテレビジョン受像機の子画面の表示に関する動作フローチャート。
【図６】本発明の映像表示装置の第２実施例であるテレビジョン受像機の子画面の表示に関する動作フローチャート。
【符号の説明】
【００３１】
３２a…混合器、６１…テレビジョン受像機、６１ａ…電源スイッチ、６１ｂ…受光部、６２…画面全体領域（親画面）、６３…画面小領域（子画面）、６４…リモコン。
【図１】
2007312117.tif 000003
【図２】
2007312117.tif 000004
【図３】
2007312117.tif 000005
【図４】
2007312117.tif 000006
【図５】
2007312117.tif 000007
【図６】
2007312117.tif 000008